(57)【要約】【課題】  球体を用いた表示装置を小型化すること、または、当該表示装置において球体に映し出される画像の表示品位を高めること。【解決手段】  一実施形態に係る表示装置は、複数の画素が配列された表示領域を有する表示パネルと、前記表示領域に対向する透明な球体と、を備えている。さらに、前記表示パネルは、前記球体に最も近接する位置を含む中央部に比べて当該中央部の外側の周辺部が縮小された画像を前記表示領域に表示する。【選択図】  図１
2020020850.tif 000002
【特許請求の範囲】
【請求項１】
複数の画素が配列された表示領域を有する表示パネルと、
前記表示領域に対向する透明な球体と、
を備え、
前記表示パネルは、前記球体に最も近接する位置を含む中央部に比べて当該中央部の外側の周辺部が縮小された画像を前記表示領域に表示する、
表示装置。
【請求項２】
前記表示パネルは、前記球体に最も近接する位置から離れるに連れて倍率が連続的に小さくなる画像を前記表示領域に表示する、
請求項１に記載の表示装置。
【請求項３】
中心から周縁に向けて連続的に下降する倍率曲線により第１画像データを補正して第２画像データを生成するコントローラをさらに備え、
前記表示パネルは、前記コントローラにより生成された前記第２画像データに基づく画像を前記表示領域に表示する、
請求項２に記載の表示装置。
【請求項４】
前記倍率曲線が示す各位置における倍率は、前記球体を通じて視認される前記画像の各位置における拡大率の逆数である、
請求項３に記載の表示装置。
【請求項５】
前記表示領域は、前記球体に最も近接する位置を含む第１領域と、前記第１領域の外側の第２領域と、前記第２領域の外側の第３領域と、を有し、
前記表示パネルは、前記第１領域に第１倍率の画像を表示し、前記第２領域に前記第１倍率よりも小さい第２倍率の画像を表示し、前記第３領域に前記第２倍率よりも小さい第３倍率の画像を表示する、
請求項１に記載の表示装置。
【請求項６】
前記複数の画素は、前記中央部に配置された第１画素と、前記周辺部に配置された第２画素と、を含み、
前記第２画素のサイズは、前記第１画素のサイズよりも小さい、
請求項１に記載の表示装置。
【請求項７】
複数の画素が配列された表示領域を有する表示パネルと、
前記表示領域に対向する透明な球体と、
を備え、
前記表示パネルは、前記球体の焦点よりも、前記球体側に配置されている、
表示装置。
【請求項８】
前記焦点は、前記球体の表面において前記表示パネルに最も近接する位置と前記球体の中心とを通る中心軸上に位置する、
請求項７に記載の表示装置。
【請求項９】
前記球体と前記表示パネルは、隙間を介して対向している、
請求項７または８に記載の表示装置。
【請求項１０】
前記球体と前記表示パネルの間にレンズを含む光学系が配置されていない、
請求項７ないし９のうちいずれか１項に記載の表示装置。
【請求項１１】
前記球体の直径よりも小さい直径の環状の支持面を有する支持部材をさらに備え、
前記球体は、前記支持面により支持されるとともに、前記支持面の内側において前記表示パネルと対向する、
請求項７ないし１０のうちいずれか１項に記載の表示装置。
【請求項１２】
前記表示パネルと前記球体の間に配置された遮光部材をさらに備え、
前記遮光部材は、前記球体の表面において前記表示パネルに最も近接する位置と前記球体の中心とを通る中心軸を中心とした円形の開口を有する、
請求項７ないし１１のうちいずれか１項に記載の表示装置。
【請求項１３】
前記表示領域は、前記球体の表面において前記表示パネルに最も近接する位置と前記球体の中心とを通る中心軸と交わる位置を中心とした円形領域と、前記円形領域の周辺の周辺領域とを有し、
前記表示パネルは、前記円形領域に表示する画像よりも低輝度の画像を前記周辺領域に表示する、
請求項７ないし１１のうちいずれか１項に記載の表示装置。
【請求項１４】
前記表示領域は、前記球体の表面において前記表示パネルに最も近接する位置と前記球体の中心とを通る中心軸と交わる位置を中心とした円形である、
請求項７ないし１１のうちいずれか１項に記載の表示装置。
【請求項１５】
前記表示パネルの主面は、水平方向に対して傾いて配置される、
請求項１ないし１４のうちいずれか１項に記載の表示装置。
【発明の詳細な説明】
【技術分野】
【０００１】
本発明の実施形態は、表示装置に関する。
【背景技術】
【０００２】
特別なユーザエクスペリエンスを実現するために、球体内に映像を映し出す技術が提案されている（例えば特許文献１，２を参照）。この種の表示装置は、例えば、占いゲーム機などのアミューズメント関連機器に利用することができる。
【０００３】
球体を用いた従来の表示装置においては、表示パネルと球体の間に各種のレンズが配置されている。そのため、表示パネルと球体の間に十分な距離を確保する必要があり、装置の大型化を招いていた。一方、ユーザから見た球体の中央部と周辺部とでは画像の倍率（拡大率または縮小率）が異なる。そのため、表示パネルが表示する画像をレンズで補正しない場合には、球体に映し出される画像が部分的に拡大または縮小された不自然なものとなる。
【先行技術文献】
【特許文献】
【０００４】
【特許文献１】特開平１１−３８３５３号公報
【特許文献２】特開２０１０−２２４１９６号公報
【発明の概要】
【発明が解決しようとする課題】
【０００５】
本開示は、球体を用いた表示装置を小型化すること、または、当該表示装置において球体に映し出される画像の表示品位を高めることを目的の一つとする。
【課題を解決するための手段】
【０００６】
一実施形態に係る表示装置は、複数の画素が配列された表示領域を有する表示パネルと、前記表示領域に対向する透明な球体と、を備えている。さらに、前記表示パネルは、前記球体に最も近接する位置を含む中央部に比べて当該中央部の外側の周辺部が縮小された画像を前記表示領域に表示する。
【０００７】
また、一実施形態に係る表示装置は、複数の画素が配列された表示領域を有する表示パネルと、前記表示領域に対向する透明な球体と、を備えている。さらに、前記表示パネルは、前記球体の表面において前記表示パネルに最も近接する位置と前記球体の中心とを通る中心軸上の前記球体の焦点よりも、前記球体側に配置されている。
【図面の簡単な説明】
【０００８】
【図１】図１は、第１実施形態に係る表示装置の概略的な斜視図である。
【図２】図２は、図１におけるＩＩ−ＩＩ線に沿う表示装置の概略的な断面図である。
【図３】図３は、表示パネルの近傍の概略的な平面図である。
【図４】図４は、表示パネルの近傍に適用し得る他の例を示す概略的な平面図である。
【図５】図５は、表示パネルの近傍に適用し得るさらに他の例を示す概略的な平面図である。
【図６】図６は、表示装置による画像表示の原理を説明するための図である。
【図７】図７は、球体の半径方向位置と焦点距離との関係を示すグラフである。
【図８】図８は、図７に示した焦点距離に対応する画像の拡大率を示すグラフである。
【図９】図９は、画像の変換倍率の一例を示すグラフである。
【図１０】図１０は、画像補正の一例を示すブロック図である。
【図１１】図１１は、円形領域と補正データとの関係を概略的に示す模式図である。
【図１２】図１２は、サイズの異なる２種類の画素の概略的な平面図である。
【図１３】図１３は、第２実施形態に係る表示装置の概略的な斜視図である。
【発明を実施するための形態】
【０００９】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【００１０】
各実施形態においては、表示装置が液晶表示素子を有する場合を例示する。ただし、各実施形態は、他種の表示素子を有する表示装置に対する、各実施形態にて開示される個々の技術的思想の適用を妨げるものではない。例えば、他種の表示装置としては、有機エレクトロルミネッセンス表示素子やLight Emitting Diode（ＬＥＤ）表示素子を有する自発光型の表示装置、電気泳動素子を有する電子ペーパ型の表示装置、Micro Electro Mechanical Systems（ＭＥＭＳ）を応用した表示装置、或いはエレクトロクロミズムを応用した表示装置などが挙げられる。
【００１１】
［第１実施形態］
図１は、第１実施形態に係る表示装置１の概略的な斜視図である。図示したように、第１方向Ｘ、第２方向Ｙおよび第３方向Ｚを定義する。これらの方向Ｘ，Ｙ，Ｚは、本実施形態においては互いに直交するが、９０°以外の角度で互いに交わってもよい。
【００１２】
表示装置１は、筐体２と、球体３とを備えている。筐体２は、支持部材４と、表示パネル５と、コントローラ６とを備えている。これらの他にも、表示装置１は、外部機器と通信する通信装置、各部に電源を供給する電源装置、ボタンやタッチパネルなどの操作装置、各種のセンサなどを備えてもよい。
【００１３】
図１の例において、筐体２は、第１方向Ｘ、第２方向Ｙおよび第３方向Ｚに沿う辺を有する直方体形状である。ただし、筐体２の形状はこの例に限られない。支持部材４は、筐体２の上面に配置され、環状の開口を有している。球体３は、支持部材４によって第３方向Ｚに支持されている。表示パネル５は、支持部材４の開口を通じて球体３に対向している。
【００１４】
球体３は、透明または半透明であり、例えば水晶やガラスで形成することができる。また、球体３はアクリルやポリカーボネートなどのプラスチックで形成されてもよい。ユーザは、球体３を通じて表示パネル５に表示される画像を視認する。このような構成の表示装置１は、例えば占いゲームなどのアミューズメント目的の機器に適用することができる。その他にも、表示装置１は種々の態様にて利用可能である。
【００１５】
図２は、図１におけるＩＩ−ＩＩ線に沿う表示装置１の概略的な断面図である。支持部材４は、底部４１と、側部４２と、突出部４３とを有している。底部４１は、例えば第１方向Ｘおよび第２方向Ｙと平行な円盤状である。側部４２は、例えば環状であり、底部４１の周縁から第３方向Ｚに延出している。底部４１および側部４２は、例えば筐体２の内側に配置されている。
【００１６】
突出部４３は、例えば環状であり、側部４２から第３方向Ｚに延出している。図２の例においては、突出部４３が筐体２から突出している。突出部４３は、支持面４３ａを有している。支持面４３ａは、突出部４３の上面に相当する。
【００１７】
球体３は、支持面４３ａによって支持されている。球体３は、単に支持面４３ａに置かれてもよいし、支持面４３ａに対して接着などの方法により固定されてもよい。図２の例において、支持面４３ａは、内側に向けて傾斜している。支持面４３ａは、球体３の表面に対応する曲率を有した曲面であってもよい。
【００１８】
表示パネル５は、球体３と底部４１の間において、側部４２の内側に配置されている。本実施形態における表示パネル５は、透過型の液晶パネルである。そのため、表示パネル５と底部４１の間にバックライト７が配置されている。表示パネル５は、バックライト７の光を選択的に透過することにより、画像を表示する。バックライト７は、例えばサイドエッジ型であり、表示パネル５に対向する導光体と、この導光体の側面に対向する光源とを備えている。バックライト７は、表示パネル５の下面に対向するように光源を配置した直下型であってもよい。なお、表示パネル５は、透過型に限られず、反射型であってもよい。表示パネル５が反射型の場合には、バックライト７を設ける必要がない。また、表示パネル５が反射型の場合には、球体３と表パネル５の間にフロントライトを設けてもよい。
【００１９】
図２の例においては、球体３と表示パネル５の間に遮光部材８が配置されている。遮光部材８は、表示パネル５の周縁を覆っている。表示パネル５、バックライト７および遮光部材８は、第３方向Ｚにおいて突出部４３と重なっているが、この例に限られない。
【００２０】
球体３と表示パネル５は、支持面４３ａの内側において、隙間を介して対向している。すなわち、表示パネル５は、球体３の直下に位置する。図２の例において、球体３と表示パネル５の間には、レンズを含む光学系が配置されていない。
【００２１】
以下、球体３の直径をＤ１と呼び、球体３の中心をＣ１と呼ぶ。球体３の表面において表示パネル５に最も近接する位置と中心Ｃ１とを通る直線を、中心軸ＣＬと呼ぶ。さらに、表示パネル５の上面において中心軸ＣＬと交わる位置を、中心Ｃ２と呼ぶ。中心軸ＣＬは、例えば第３方向Ｚと平行である。中心Ｃ２は、表示パネル５において球体３に最も近接する位置である。
【００２２】
図３は、表示パネル５の近傍の概略的な平面図である。遮光部材８は、円形の開口８ａを有している。開口８ａ、支持面４３ａ、突出部４３および側部４２は、いずれも中心軸ＣＬを中心とした同心円状である。支持面４３ａの内周縁の直径は、球体３の直径Ｄ１よりも小さいＤ２である（Ｄ２＜Ｄ１）。開口８ａの直径は、直径Ｄ２よりも小さいＤ３である（Ｄ３＜Ｄ２）。
【００２３】
表示パネル５は、例えば図示したように矩形状であるが、他の形状であってもよい。表示パネル５は、複数の画素が配列された表示領域ＤＡを有している。表示領域ＤＡは、例えば開口８ａよりも大きく、かつ表示パネル５の外形に沿った４辺を有する矩形状である。
【００２４】
表示領域ＤＡは、円形領域ＣＡと、円形領域ＣＡの周辺の周辺領域ＰＡとを有している。円形領域ＣＡは、ユーザに視認させる文字列や図形などの各種画像が表示される領域であり、開口８ａの内側の領域に相当する。周辺領域ＰＡは、遮光部材８と対向する領域である。
【００２５】
図４は、表示パネル５の近傍に適用し得る他の例を示す概略的な平面図である。この図の例においては、遮光部材８が設けられていない。周辺領域ＰＡには、円形領域ＣＡよりも低輝度の画像、例えば全体的に黒色の画像が表示される。例えば表示パネル５がノーマリブラックモードの液晶パネルである場合、円形領域ＣＡに画像を表示する際に、周辺領域ＰＡにおける画素を全てオフにしてもよい。
【００２６】
図５は、表示パネル５の近傍に適用し得るさらに他の例を示す概略的な平面図である。この図の例においては、図４と同じく遮光部材８が設けられていない。さらに、表示領域ＤＡが中心軸ＣＬを中心とした円形である。この場合、表示領域ＤＡの全体が、ユーザに視認させる各種画像が表示される円形領域ＣＡに相当する。図５の例においては、表示パネル５の外形も円形である。ただし、表示パネル５の外形は、矩形などの他の形状であってもよい。
【００２７】
以上の図３ないし図５に示した例においては、円形領域ＣＡがいずれも正円形である。ただし、円形領域ＣＡは必ずしも正円形である必要はなく、楕円形などの他の形状であってもよい。
【００２８】
図６は、表示装置１による画像表示の原理を説明するための図である。表示パネル５からの光は、球体３に入射し、球体３の反対側まで伝播して球体３から出射する。当該光は、球体３に入射する際、さらには球体３から出射する際に、球体３と空気の界面において屈折する。
【００２９】
本実施形態においては、中心軸ＣＬ上の球体３の焦点Ｆよりも、球体３側に表示パネル５が配置されている。この場合、中心軸ＣＬに沿う方向に球体３を覗き込むユーザは、上述の円形領域ＣＡに表示される画像が実際より拡大された虚像を視認することになる。
【００３０】
一例として、球体３の直径Ｄ１が１１０ｍｍ、球体３の屈折率が１．５である場合、中心軸ＣＬ上の焦点距離ｆは、８２．５ｍｍ程度である。この場合、表示パネル５は、中心Ｃ１，Ｃ２間の距離が８２．５ｍｍ未満となるように配置すればよい。
【００３１】
表示パネル５が球体３に接触するか、あるいは極めて近接すると、その部分の画像にムラが生じ得る。そこで、図６の例においては、球体３と表示パネル５の間に隙間Ｇが設けられている。一例として、隙間Ｇは、可視光の波長域よりも大きいことが好ましい。
【００３２】
本実施形態においては、球体３により拡大された画像をユーザに視認させるため、高精細の表示パネル５を用いることが好ましい。一例として、表示パネル５の精細度が８００ｐｐｉ以上であれば、拡大されても良好な表示品位の画像を得ることができる。
【００３３】
球体３の焦点距離ｆは、中心軸ＣＬからの半径方向位置Ｒによって異なる。図７は、直径Ｄ１が１１０ｍｍかつ屈折率が１．５の球体３における半径方向位置Ｒ［ｍｍ］と焦点距離ｆ［ｍｍ］との関係を示すグラフである。図中の曲線から分かるように、半径方向位置Ｒが大きくなるに連れて、焦点距離ｆが低下する。焦点距離ｆが低下する勾配は、半径方向位置Ｒが大きいほど急になる。
【００３４】
このように焦点距離ｆが半径方向位置Ｒによって異なることから、換言すれば球体３には非点収差があることから、球体３を通じて視認される画像には収差（画像の歪み）が生じる。そのため、当該画像の周辺部は徐々に拡大される。図８は、図７に示した焦点距離ｆに対応する画像の拡大率を示すグラフである。この拡大率は、半径方向位置Ｒが０である場合を１とした相対値である。図中の曲線から分かるように、半径方向位置Ｒが大きくなるに連れて拡大率が増加する。拡大率が増加する勾配は、半径方向位置Ｒが大きいほど急になる。このような拡大率で画像が拡大されるために、中央部に対して周辺部が伸長された不自然な画像がユーザに視認される。
【００３５】
上記のような画像は、図８に示した拡大率を打ち消す変換倍率（縮小率）にて補正することにより、周辺部の伸長が抑制された自然なものとなる。図９は、変換倍率の一例を示すグラフである。このグラフは、半径方向位置Ｒに対する変換倍率を表す倍率曲線に相当する。図９において、半径方向位置Ｒの値が０の場合が表示パネル５に表示する画像の中心位置に相当し、半径方向位置Ｒの値が０よりも大きい場合が表示パネル５に表示する画像の周辺部に相当する。中心位置の画像の変換倍率（縮小率）を１とし、すなわち中心位置の画像は拡大または縮小せずに、画像の周辺部は対応する図９に示す変換倍率（縮小率）で縮小することで、ユーザは歪みの少ない画像を視認することができる。
【００３６】
各半径方向位置Ｒにおける変換倍率は、例えば図８に示した拡大率の逆数とすることができる。この場合、倍率曲線は、半径方向位置Ｒが大きくなるに連れて下降する。なお、各半径方向位置Ｒにおける変換倍率は、必ずしも拡大率の逆数と一致する必要はない。半径方向位置Ｒが大きいほど変換倍率が低下する倍率曲線であれば、画像の周辺部における伸長を抑制する効果が得られる。
【００３７】
なお、図７ないし図９においては、球体３の直径Ｄ１が１１０ｍｍかつ屈折率が１．５である場合の焦点距離ｆ、拡大率、および変換倍率を例示した。他の条件の球体３においても、焦点距離ｆの半径方向位置Ｒに対する変化は、図７と同様である。すなわち、半径方向位置Ｒが増加すると焦点距離ｆが減少する。また、他の条件の球体３においても、拡大率の半径方向位置Ｒに対する変化は、図８と同様である。すなわち、半径方向位置Ｒが増加すると拡大率が増加する。したがって、他の条件の球体３においても、図７ないし図９での説明と同様に、倍率曲線により画像を自然な形に補正することができる。
【００３８】
上記の通り、本実施形態に係る表示装置１では、表示パネル５を球体３の焦点距離ｆよりも球体３に近い位置に配置する必要がある。このため、球体３の大きさと屈折率には上限が存在する。つまり、球体３の焦点距離ｆが球体３の半径より短くなる条件では、表示パネル５を焦点距離ｆよりも球体３に近い位置に配置できないので、表示装置１の画像表示は十分に機能しない。換言すると、球体３の焦点距離ｆは、球体３の半径よりも大きい必要が有る。
【００３９】
以下に、画像補正の具体例について説明する。  
図１０は、画像補正の一例を示すブロック図である。この例において、表示装置１のコントローラ６は、画像変換モジュール６０を備えている。画像変換モジュール６０は、各種のＩＣにより構成されてもよいし、プロセッサがコンピュータプログラムを実行することにより実現されてもよい。
【００４０】
画像変換モジュール６０は、補正前の第１画像データＩＭＧ１を、補正データ６１を用いて第２画像データＩＭＧ２に変換する。第１画像データＩＭＧ１は、例えば表示装置１が備えるメモリに予め記憶されてもよいし、外部装置との通信により受信されてもよい。コントローラ６は、第２画像データＩＭＧ２を表示ドライバ９に出力する。表示ドライバ９は、第２画像データＩＭＧ２に基づく画像を表示パネル５に表示させる。
【００４１】
例えば、第１画像データＩＭＧ１は矩形の画像を表し、第２画像データＩＭＧ２は円形領域ＣＡに対応する円形の画像を表す。この場合、第２画像データＩＭＧ２を得るためには、第１画像データＩＭＧ１が表す画像の周辺部を中央部に比べて２次元的に縮小する補正が必要となる。例えば、補正データ６１は、このような補正において必要な縮小率を表す。また、表示パネル５が矩形である場合、または表示パネル５が円形領域ＣＡより大きな表示領域ＤＡを有する場合、周辺領域ＰＡの部分を非表示にする、あるいは黒表示にする補正を行ってもよい。この非表示補正は、特に遮光部材８を設けない構造において好適である。
【００４２】
図１１は、上述の円形領域ＣＡと補正データ６１との関係を概略的に示す模式図である。この図の例において、円形領域ＣＡは、中心Ｃ２を含む第１領域Ａ１と、第１領域Ａ１の外側の第２領域Ａ２と、第２領域Ａ２の外側の第３領域Ａ３とを有している。第１領域Ａ１は、半径Ｒ１の円形である。第２領域Ａ２は、半径Ｒ１よりも大きい半径Ｒ２の円形から第１領域Ａ１を除いた形状である。第３領域Ａ３は、半径Ｒ２よりも大きい半径Ｒ３の円形から第１領域Ａ１および第２領域Ａ２を除いた形状である。
【００４３】
図１１においては、補正データ６１として、２つのケース（ａ）（ｂ）を例示している。ケース（ａ）の曲線およびケース（ｂ）の屈曲した直線は、いずれも第１画像データＩＭＧ１を補正するための変換倍率を示す。
【００４４】
ケース（ａ）においては、中心Ｃ２から半径Ｒ３に至るまで、変換倍率が連続的に下降している。例えば、変換倍率は画素毎に、または副画素毎に連続的に降下している。この倍率曲線は、例えば図９に示した例と同様である。画像変換モジュール６０は、この倍率曲線が示す変換倍率にて縮小された第２画像データＩＭＧ２が得られるように、第１画像データＩＭＧ１を、中心Ｃ２から離れるにつれて徐々に縮小する。
【００４５】
ケース（ｂ）においては、中心Ｃ２から半径Ｒ１に至るまでの変換倍率が第１倍率Ｖ１であり、半径Ｒ１から半径Ｒ２に至るまでの変換倍率が第２倍率Ｖ２であり、半径Ｒ２から半径Ｒ３に至るまでの変換倍率が第３倍率Ｖ３である。第２倍率Ｖ２は第１倍率Ｖ１よりも小さく、第３倍率Ｖ３は第２倍率Ｖ２よりも小さい。
【００４６】
画像変換モジュール６０は、第１画像データＩＭＧ１において、第１領域Ａ１に対応する部分を第１倍率Ｖ１で縮小し、第２領域Ａ２に対応する部分を第２倍率Ｖ２で縮小し、第３領域Ａ３に対応する部分を第３倍率Ｖ３で縮小することにより、第２画像データＩＭＧ２を生成する。なお、第１倍率Ｖ１は、１であってもよい。この場合、第１画像データＩＭＧ１において、第１領域Ａ１に対応する部分は縮小されない。
【００４７】
図９の例から分かるように、画像の拡大を打ち消す倍率曲線の勾配は、半径方向位置Ｒが大きくなるに連れて急になる。そこで、第２倍率Ｖ２と第３倍率Ｖ３の差分（Ｖ２−Ｖ３）が、第１倍率Ｖ１と第２倍率Ｖ２の差分（Ｖ１−Ｖ２）より大きいことが好ましい。また、同様の観点から、半径Ｒ３と半径Ｒ２の差分（Ｒ３−Ｒ２）が半径２と半径Ｒ１の差分（Ｒ２−Ｒ１）より小さく、さらにこの差分（Ｒ２−Ｒ１）が半径Ｒ１より小さいことが好ましい。
【００４８】
なお、ケース（ｂ）においては、円形領域ＣＡを３つの領域Ａ１〜Ａ３に分けているが、円形領域ＣＡを２つまたは４つ以上の領域に分け、それぞれの領域に対して異なる変換倍率を設定してもよい。なお、より滑らから画像を得るには、分割する領域をより細かくする、すなわち分割する数を大きくすることが望ましい。ケース（ａ）の様に変換倍率が画素毎に連続的に変化することがより望ましい。
【００４９】
以上のような補正により生成される第２画像データＩＭＧ２は、中心Ｃ２を含む中央部（例えば第１領域Ａ１）に比べて当該中央部の外側の周辺部（例えば第２領域Ａ２および第３領域Ａ３）が縮小された画像を表すものとなる。すなわち、ケース（ａ）においては、中心Ｃ２から周縁に向かうに連れて連続的に倍率が小さくなる画像が円形領域ＣＡに表示される。また、ケース（ｂ）においては、第１領域Ａ１に第１倍率Ｖ１の画像が表示され、第２領域Ａ２に第２倍率Ｖ２の画像が表示され、第３領域Ａ３に第３倍率Ｖ３の画像が表示される。球体３を通じてこれらの画像を観察すると、これらの画像が図８に示した拡大率で周辺部ほど大きく拡大される。したがって、収差による影響が抑制された自然な画像をユーザに見せることができる。
【００５０】
第１画像データＩＭＧ１に基づいて第２画像データＩＭＧ２を生成する処理は、表示装置１とは異なる情報処理装置で実行されてもよい。この場合、情報処理装置により生成された第２画像データＩＭＧ２は、予め表示装置１のメモリに記憶されてもよいし、有線または無線の通信により表示装置１に入力されてもよいし、可搬性の記録媒体を介して表示装置１に入力されてもよい。
【００５１】
また、例えば魚眼レンズを用いて撮影された画像を第２画像データＩＭＧ２として用いてもよい。一般に、魚眼レンズを用いて撮影される画像は円形であり、かつ中央部に対して周辺部が縮小される。したがって、魚眼レンズを用いて撮影される画像は、上述のケース（ａ）の補正データ６１を用いた補正により生成される第２画像データＩＭＧ２と同様の特徴を有する。このような画像を第２画像データＩＭＧ２として用いれば、画像補正の処理を省略することができる。
【００５２】
さらに他の例として、円形領域ＣＡに含まれる画素のサイズを調整することにより、通常の画像データに基づいて周辺部が縮小された画像を表示してもよい。図１２は、サイズの異なる２種類の画素の概略的な平面図である。図中左側の第１画素ＰＸ１は、赤色の副画素ＳＰＲ１と、緑色の副画素ＳＰＧ１と、青色の副画素ＳＰＢ１とを含む。図中右側の第２画素ＰＸ２は、赤色の副画素ＳＰＲ２と、緑色の副画素ＳＰＧ２と、青色の副画素ＳＰＢ２とを含む。
【００５３】
なお、第１画素ＰＸ１および第２画素ＰＸ２に含まれる副画素は、赤色、緑色および青色に限られない。第１画素ＰＸ１および第２画素ＰＸ２は、白色などの他の色の副画素を含んでもよい。また、図１２においては副画素ＳＰＲ１，ＳＰＧ１，ＳＰＢ１が第１方向Ｘに並んでいるが、これらの副画素が他の態様で配置されてもよい。副画素ＳＰＲ２，ＳＰＧ２，ＳＰＢ２についても同様である。
【００５４】
第１画素ＰＸ１の副画素ＳＰＲ１，ＳＰＧ１，ＳＰＢ１は、第１方向Ｘにおいて幅Ｗｘ１を有し、第２方向Ｙにおいて幅Ｗｙ１を有している。第２画素ＰＸ２の副画素ＳＰＲ２，ＳＰＧ２，ＳＰＢ２は、第１方向Ｘにおいて幅Ｗｘ２を有し、第２方向Ｙにおいて幅Ｗｙ２を有している。図１２の例においては、幅Ｗｘ２が幅Ｗｘ１よりも小さく、幅Ｗｙ２が幅Ｗｙ１よりも小さい。したがって、第２画素ＰＸ２は、第１画素ＰＸ１よりもサイズが小さい。
【００５５】
第１画素ＰＸ１は、円形領域ＣＡの中央部（例えば図１１の第１領域Ａ１）に配置される。第２画素ＰＸ２は、円形領域ＣＡの周辺部（例えば図１１の第２領域Ａ２または第３領域Ａ３）に配置される。このように周辺部の画素のサイズを小さくすることにより、上述の画像補正を行わない場合でも、中央部に比べて周辺部が縮小された画像を表示することができる。
【００５６】
図１２においては、２種類の画素を示したが、円形領域ＣＡにはサイズが異なる３種類以上の画素が配置されてもよい。これらの画素のサイズ（例えば面積）と半径方向位置Ｒは、図９に示したような倍率曲線に対応する相関を有していることが好ましい。
【００５７】
［第２実施形態］  
図１３は、第２実施形態に係る表示装置１００の概略的な斜視図である。図１３に示す表示装置１００は、図１に示す表示装置１と比較して、表示パネルが配置される位置が異なる。特に言及しない構成については、第１実施形態と同様のものを適用できる。
【００５８】
表示装置１００は、筐体１０２と、球体１０３とを備えている。筐体１０２は、球体１０３を支持する球体支持体１０４と、表示パネル１０５と、コントローラ１０６と、支持体１０４が配置される土台１０７と、表示パネル１０５が配置を支持するパネル支持体１０８とを備えている。
【００５９】
図１に示す表示装置１では、表示パネル５が球体３の直下に配置されている。一方、図１３に示すように、第２実施形態に係る表示装置１００では、ユーザ側からみて球体１０３の斜め後ろとなる位置に表示パネル１０５が配置されている。すなわち、表示パネル１０５の主面（表示面）が水平方向（例えば第１方向Ｘ）に対して所定の角度θで傾いている。
【００６０】
図１３に示す構造にすることで、球体１０３を通じてユーザが視認する画像（虚像）を、ユーザの目線に位置させることが容易となる。換言すれば、ユーザが画像を視認するために不自然な姿勢になることなく、通常の姿勢で容易に画像を視認することができる。角度θは、５０°以上かつ６０°以下であることが好ましい。角度θが５５°であるとより好ましい。すなわち、表示パネル１０５の主面の法線方向と水平方向とがなす角が、３０°から４０°であることが好ましく、当該角が３５°であることがより好ましい。
【００６１】
以上説明した各実施形態に係る表示装置１，１００によれば、球体３，１０３を通じてユーザに画像を視認させることができる。この画像は、実際の円形領域ＣＡよりも大きく見える虚像であり、球体３，１０３内に映し出されたように見える。さらに、球体３，１０３の半径方向位置Ｒに応じた拡大率の違いを補正した表示品位の高い画像を得ることができる。また、球体３，１０３など上記で説明した構成要素以外の光学系を必要としないことにより、コストの削減を図ることができる。
【００６２】
第１実施形態において、表示パネル５は、球体３の直下に位置し、両者の間にはレンズを含む光学系が配置されていない。したがって、球体３と表示パネル５の間の距離を小さくでき、結果として表示装置１を小型化することが可能となる。第２実施形態においても同様の効果を得ることができる。
【００６３】
なお、第１実施形態においては、球体３を通じて視認される画像は周辺部が中央部よりも拡大されていると述べた。これは、当該画像の中央部が周辺部よりも縮小されていることと同義である。
【００６４】
また、第１実施形態においては、円形領域ＣＡに表示する画像は周辺部が中央部よりも縮小されていると述べた。これは、当該画像の中央部が周辺部よりも拡大されていることと同義である。
【００６５】
以上、本発明の実施形態として説明した表示装置を基にして、当業者が適宜設計変更して実施し得る全ての表示装置も、本発明の要旨を包含する限り、本発明の範囲に属する。
【００６６】
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、又は、工程の追加、省略若しくは条件変更を行ったものも、本発明の要旨を備えている限り、本発明の範囲に含まれる。
【００６７】
また、各実施形態において述べた態様によりもたらされる他の作用効果について、本明細書の記載から明らかなもの、又は当業者において適宜想到し得るものについては、当然に本発明によりもたらされるものと解される。
【符号の説明】
【００６８】
１…表示装置、２…筐体、３…球体、４…支持部材、５…表示パネル、６…コントローラ、７…バックライト、８…遮光部材、４３ａ…支持面、６０…画像変換モジュール、６１…補正データ、ＤＡ…表示領域、ＣＡ…円形領域、ＰＡ…周辺領域、Ｃ１…球体の中心、Ｃ２…円形領域の中心、ＣＬ…中心軸、Ｆ…焦点。 
【図１】
2020020850.tif 000003
【図２】
2020020850.tif 000004
【図３】
2020020850.tif 000005
【図４】
2020020850.tif 000006
【図５】
2020020850.tif 000007
【図６】
2020020850.tif 000008
【図７】
2020020850.tif 000009
【図８】
2020020850.tif 000010
【図９】
2020020850.tif 000011
【図１０】
2020020850.tif 000012
【図１１】
2020020850.tif 000013
【図１２】
2020020850.tif 000014
【図１３】
2020020850.tif 000015